(57)【要約】【課題】  ドラムのチューニング作業を容易にする。【解決手段】チューニング装置１００において、支持部１０１は、両端がドラム１のフープ１３の上に載せられる。支持部１０１の中央には、ドラムヘッド１２の中心と対向する加振部１１０がある。また、支持部１０１のフープ１３寄りの位置には振動検出部１２０がある。信号処理部１３０は、加振部１１０によるドラムヘッド１２の加振タイミングと、振動検出部１２０による振動検出タイミングとの時間差を求め、この時間差と加振位置および振動検出位置間の距離に基づき、加振位置から振動検出位置までの振動伝播速度を算出し、報知部１４０に表示する。ドラム１の演奏者は、報知部１４０に表示された振動伝播速度に基づいてドラムヘッド１２に発生しているテンションを把握し、ドラム１のチューニングを行う。【選択図】図１
2018146889.tif 000002
【特許請求の範囲】
【請求項１】
ドラムヘッドの加振位置に対して一定の距離を維持し、前記ドラムヘッドの振動を検出する振動検出部と、
前記加振位置に対する加振タイミングと前記振動検出部による振動検出タイミングとの時間差に基づいて、前記ドラムヘッドにおける振動伝播速度を算出する振動伝播速度算出部と
を具備することを特徴とするドラムのチューニング装置。
【請求項２】
前記ドラムヘッドを加振する加振部を具備することを特徴とする請求項１に記載のチューニング装置。
【請求項３】
前記加振部と前記振動検出部を前記ドラムヘッドに対向させて支持する支持部を具備することを特徴とする請求項２に記載のチューニング装置。
【請求項４】
前記支持部は、前記加振部を前記ドラムヘッドの中心に対向させて支持することを特徴とする請求項３に記載のチューニング装置。
【請求項５】
前記支持部は、複数の前記振動検出部を前記ドラムヘッドを支持する複数のラグの間隔に対応した間隔で並んだ前記ドラムヘッドの周囲の円周領域上の各位置に対向させて支持することを特徴とする請求項３または４に記載のチューニング装置。
【請求項６】
前記ドラムヘッドに対する加振を案内する案内部と、
前記加振位置に対する加振を検知する加振検知部と
を具備することを特徴とする請求項１に記載のチューニング装置。
【発明の詳細な説明】
【技術分野】
【０００１】
この発明は、ドラムのチューニング装置に関する。
【背景技術】
【０００２】
ドラムでは、ドラムヘッドの周囲を押さえるフープと、シェルの外周に固定された複数のラグとが複数のチューニングボルトを介して連結されている。そして、演奏者は、ドラム音を耳で確認しつつ、複数のチューニングボルトの締め具合を調整してドラムヘッドのテンションを調整することで、ドラムのチューニングを行う。このようなチューニングの作業は、耳に頼った試行錯誤の繰り返しであり、慣れない演奏者にとっては面倒な作業である。このため、ドラムのチューニング作業の負担を軽減する技術が提案されている。例えば特許文献１は、ドラムヘッドを押したときのドラムヘッドからの反発力に基づいてドラムヘッドのテンションを測定する装置を開示している。
【先行技術文献】
【特許文献】
【０００３】
【特許文献１】特開２０１０−０６１１０７号公報
【発明の概要】
【発明が解決しようとする課題】
【０００４】
ところで、上述した特許文献１に開示の装置は、ドラムヘッドからの反発力に基づいてドラムヘッドのテンションを測定するものであるので、その使用に当たってドラムに強固に固定する必要がある。従って、チューニングの作業が面倒であるという問題がある。
【０００５】
この発明は、ドラムのチューニング作業を容易にする技術的手段を提供することを目的としている。
【課題を解決するための手段】
【０００６】
この発明は、ドラムヘッドの加振位置に対して一定の距離を維持し、前記ドラムヘッドの振動を検出する振動検出部と、前記加振位置に対する加振タイミングと前記振動検出部による振動検出タイミングとの時間差に基づいて、前記ドラムヘッドにおける振動伝播速度を算出する振動伝播速度算出部とを具備することを特徴とするドラムのチューニング装置を提供する。
【０００７】
ドラムヘッドにおいて、振動伝播速度とテンションは特定の比例関係（具体的にはテンションの平方根に比例）にあり、振動伝播速度が分ればテンションを把握することができる。従って、この発明によれば、振動伝播速度算出部により算出されるドラムヘッドの振動伝播速度に基づいて、ドラムヘッドに発生しているテンションを把握し、ドラムのチューニングを行うことができる。この発明において、チューニング装置は、ドラムヘッドにおける振動伝播速度を算出するものであるため、ドラムに強固に固定する必要はない。従って、ドラムのチューニング作業を容易にすることができる。
【０００８】
なお、チューニング装置は、ドラムヘッドを加振する加振部を有するものであってもよいし、そのような加振部を有しておらず、ドラムヘッドへの加振を案内する加振案内部を有するものであってもよい。また、チューニング装置において、加振部は、フープへの取り付け位置を中心に旋回する支持部の先端に設けられたものであってもよい。
【図面の簡単な説明】
【０００９】
【図１】この発明の第１実施形態であるチューニング装置および同チューニング装置が載置されたドラムを上方から見た平面図である。
【図２】同チューニング装置および同ドラムの断面図である。
【図３】この発明の第２実施形態であるチューニング装置および同チューニング装置が載置されたドラムを上方から見た平面図である。
【図４】同チューニング装置および同ドラムの断面図である。
【図５】この発明の第３実施形態であるチューニング装置および同チューニング装置が載置されたドラムを上方から見た平面図である。
【図６】この発明の第４実施形態であるチューニング装置および同チューニング装置が載置されたドラムを上方から見た平面図である。
【図７】この発明の第５実施形態であるチューニング装置および同チューニング装置が載置されたドラムの断面図である。
【発明を実施するための形態】
【００１０】
以下、図面を参照し、この発明の実施形態について説明する。
【００１１】
＜第１実施形態＞
図１はこの発明の第１実施形態であるチューニング装置１００および同チューニング装置１００が載置されたドラム１を上方から見た平面図である。また、図２は図１のＩ−Ｉ’線断面図である。
【００１２】
まず、チューニング対象であるドラム１について説明する。図１および図２において、ドラムシェル１１は、両端が開口した円筒形状を有し、ドラム１の胴部を構成する。ドラムシェル１１の両端の開口は、２つのドラムヘッド１２により閉塞されている。なお、図１および図２では、２つのドラムヘッド１２のうちの一方のドラムヘッド１２のみが図示され、他方のドラムヘッド１２は図示が省略されている。
【００１３】
ドラムヘッド１２は、ヘッド部１２ａおよび支持部１２ｂを有する。ヘッド部１２ａは円状の形状を有する。支持部１２ｂは環状の形状を有し、ヘッド部１２ａの外周縁部に連結されている。この支持部１２ｂは、ヘッド部１２ａに張力を与え、ヘッド部１２ａを円形に保持する。フープ１３は、円筒形状を有し、ドラムシェル１１の外周縁部を取り巻くように設置される。フープ１３は、支持部１２ｂに押し当てられる部分およびチューニングボルト１５を挿入するための挿入穴を有する。
【００１４】
図１および図２に示す例では、６個のラグ１４Ａ〜１４Ｆが、ドラムシェル１１の外周面上に固定されている。これらのラグ１４Ａ〜１４Ｆは、ドラムシェル１１の外周面に平行して伸びるねじ穴を有する。チューニングボルト１５は、フープ１３の挿入穴に挿入され、ラグ１４Ａ〜１４Ｆのねじ穴にねじ込まれるようになっている。このチューニングボルト１５を締めることにより、チューニングボルト１５の挿入されたフープ１３が支持部１２ｂをラグ１４Ａ〜１４Ｆ側に押し、ヘッド部１２ａのテンションが高められる。
【００１５】
次にチューニング装置１００について説明する。チューニング装置１００は、長手方向の寸法がフープ１３の直径よりも僅かに長い略矩形板状の支持部１０１を有する。この支持部１０１の両端は、ドラム１のチューニング時、図１に示すようにフープ１３の上に載せられる。さらに詳述すると、支持部１０１の両端は、円環状のフープ１３の上面において、ドラムヘッド１２の中心を通過する直線上にある２つのラグ、すなわち、図１および図２の例ではラグ１４Ｆおよび１４Ｃの近傍の位置に載せられる。なお、以下において、チューニング装置１００の各部の位置に関する説明は、支持部１０１の両端がこのようにラグ１４Ｆおよび１４Ｃの近傍の位置に載せられていることを前提としている。
【００１６】
支持部１０１の長手方向両端には、チューニングボルト１５を露出させる切り欠き部１０２が設けられている。演奏者は、この切り欠き部１０２から露出したチューニングボルト１５の締め具合を調節することによりドラム１のチューニングを行うことが可能である。
【００１７】
支持部１０１には、加振部１１０と、振動検出部１２０と、信号処理部１３０と、報知部１４０が設けられている。加振部１１０は、例えばソレノイド・トランスデューサ等により構成された電磁式の加振器である。この加振部１１０は、支持部１０１の中心に位置しており、ドラムヘッド１２の中心と対向する。そして、加振部１１０は、信号処理部１３０からの加振指示に従って、ドラムヘッド１２の中心に衝突し、ドラムヘッド１２の中心に振動を与える。以下、ドラムヘッド１２において、加振部１１０により振動が与えられる位置を加振位置という。
【００１８】
振動検出部１２０は、支持部１０１のドラムヘッド１２との対向面において、ラグ１４Ｃの近傍、より具体的には切り欠き部１０２の近傍の位置に設けられている。振動検出部１２０は、図１および図２の例では、ドラムヘッド１２におけるラグ１４Ｃ寄りの位置に対向しており、この対向位置に発生する振動を検出する。以下、ドラムヘッド１２において、振動検出部１２０により振動が検出される位置を、振動検出部１２０の振動検出位置という。
【００１９】
振動検出部１２０としては、非接触の光学式の変位検出装置または速度検出装置が好ましいが、ロードセルや歪ゲージのような力検出装置でも良いし、マイクロフォンのような音圧検出装置でも良い。振動検出部１２０として、力検出装置を使用する場合は、ドラムヘッド１２のテンションに影響を与えないような剛性の低いものが好ましい。また、振動検出部１２０として、音圧検出装置を使用する場合は、超単一指向性を持ち、ドラムヘッド１２に向けた先の振動から放射される音圧を検出する構成のものが好ましい。
【００２０】
信号処理部１３０は、例えばＣＰＵにより構成されている。この信号処理部１３０は、加振部１１０による加振タイミングと、振動検出部１２０による振動検出タイミングとの時間差を求め、この時間差と、ドラムヘッド１２における加振位置と振動検出部１２０の振動検出位置との間の既知の距離とに基づき、加振位置および振動検出位置間の振動伝播速度を算出する振動伝搬速度算出部として機能する。
【００２１】
報知部１４０は、ＬＥＤやＬＣＤ等からなる表示器であり、信号処理部１３０が算出した振動伝播速度を表示する。本実施形態において報知部１４０は、振動伝播速度を示す数値を表示する。
【００２２】
なお、図１および図２に示す例では、信号処理部１３０は、加振部１１０と振動検出部１２０との間に設けられ、報知部１４０は振動検出部１２０と反対側の位置に設けられているが、信号処理部１３０および報知部１４０の位置は任意である。
【００２３】
このような構成において、ドラム１の演奏者は、図示しない操作子の操作により信号処理部１３０に指示を与え、信号処理部１３０から加振部１１０に加振指示を出力させる。
【００２４】
これにより加振部１１０はドラムヘッド１２の中心を加振する。この結果、ドラムヘッド１２に曲げ振動が励起され、ドラムヘッド１２の外周へ振動が伝播される。振動が伝播されると、振動検出部１２０によってその振動が検出される。信号処理部１３０は、加振部１１０の加振タイミングと振動検出部１２０の振動検出タイミングとの時間差と、一定である加振位置および振動位置間の距離に基づいて、振動伝播速度を算出する。報知部１４０は、この信号処理部１３０が算出した振動伝播速度を表示する。
【００２５】
演奏者は、この振動伝播速度からラグ１４Ｆおよび１４Ｃ間のドラムヘッド１２のテンションを把握し、ラグ１４Ｆおよび１４に締結された各チューニングボルト１５の締め具合を調節する。
【００２６】
次に演奏者は、チューニング装置１００の支持部１０１の両端を例えばフープ１３のラグ１４Ｅおよび１４Ｂの近傍の各位置に置く。そして、上述と同様に、加振部１１０による加振、振動伝播速度の算出および表示をチューニング装置１００に行わせ、振動伝播速度の表示に基づいて、ラグ１４Ｅおよび１４Ｂに締結された各チューニングボルト１５の締め具合を調節する。
【００２７】
以下同様であり、演奏者は、フープ１３における支持部１０１の載置位置を変えつつ、同様なチューニングを繰り返す。そして、ラグ１４Ａ〜１４Ｆを頂点とする正六角形において、対角をなす２つのラグの組の各組、すなわち、ラグ１４Ｆおよび１４Ｃの組、ラグ１４Ｅおよび１４Ｂの組、ラグ１４Ｄおよび１４Ａの組について、２つのラグ間のドラムヘッド１２の振動伝播速度が等しくなるように、チューニングボルト１５の締め具合を調整することで、均等なチューニングを実現することができる。
【００２８】
以上のように本実施形態によれば、ドラムヘッドについて均一なチューニングを実現することができる。また、本実施形態によれば、フープ１３の上にチューニング装置１００を載せて加振部１１０による加振を行わせるのみにより、ドラムヘッド１２の振動伝播速度を測定することができるので、チューニング作業が容易になるという効果が得られる。
【００２９】
＜第２実施形態＞
図３はこの発明の第２実施形態であるチューニング装置１００Ａと同チューニング装置１００Ａが載置されたドラム１を上方から見た平面図である。また、図４は図３のＩａ−Ｉａ’線断面図である。なお、これらの図において、上述した第１実施形態の各部と対応する部分には共通の符号を使用し、その説明を省略する。
【００３０】
本実施形態では、上記第１実施形態における支持部１０１が支持部１０３に置き換えられ、振動検出部１２０が振動検出部１２１Ａ〜１２１Ｆに置き換えられ、信号処理部１３０が信号処理部１３１に置き換えられ、報知部１４０が報知部１４１に置き換えられている。
【００３１】
支持部１０３は、円盤状領域１０４と、この円盤状領域１０４の直径方向両側に突出した２つの突出部１０５とからなる。ここで、２つの突出部１０５と円盤状領域１０４とを合わせた直径方向の長さは、フープ１３の直径よりも僅かに長い。従って、支持部１０３の２つの突出部１０５を図３および図４に例示するようにフープ１３の上に載せることが可能である。２つの突出部１０５には、フープ１３の上に載せられた状態において下方のチューニングボルト１５を露出させる切り欠き部１０６が各々設けられている。なお、以下において、チューニング装置１００Ａの各部の位置に関する説明は、２つの突出部１０５が図３および図４に示すようにフープ１３におけるラグ１４Ｆおよび１４Ｃの近傍の位置に載せられていることを前提としている。
【００３２】
支持部１０３の円盤状領域１０４には、加振部１１０と、６個の振動検出部１２１Ａ〜１２１Ｆと、信号処理部１３１と、報知部１４１が設けられている。
【００３３】
ここで、加振部１１０は、支持部１０３の円盤状領域１０４の中心に位置しており、上記第１実施形態と同様、信号処理部１３１からの加振指示に従って、ドラムヘッド１２の中心を加振する。
【００３４】
また、振動検出部１２１Ａ〜１２１Ｆは、支持部１０３の円盤状領域１０４のドラムヘッド１２との対向面において、加振部１１０の位置を円の中心とする円周上に各々配置されている。また、図３および図４に示すように支持部１０３がフープ１３に載置された状態では、振動検出部１２１Ａ〜１２１Ｆは、ドラムヘッド１２の中心を円の中心とする同円周上においてラグ１４Ａ〜１４Ｆの近傍の各位置に各々対向する。そして、振動検出部１２１Ａ〜１２１Ｆは、ドラムヘッド１２において、各振動検出部と対向する各振動検出位置の振動を検出する。
【００３５】
信号処理部１３１は、上記第１実施形態と基本的に同様な振動伝播速度算出部として機能する。さらに詳述すると、信号処理部１３１は、加振部１１０による加振タイミングと、振動検出部１２１Ａ〜１２１Ｆの各振動検出タイミングとの時間差を求め、これらの時間差と、ドラムヘッド１２における加振部１１０の加振位置と振動検出部１２１Ａ〜１２１Ｆの振動検出位置との間の各距離とに基づき、振動伝播速度を算出する。具体的には、信号処理部１３１は、ドラムヘッド１２における加振位置と振動検出部１２１Ａの振動検出位置との間の振動伝播速度、加振位置と振動検出部１２１Ｂの振動検出位置との間の振動伝播速度、…中略…、加振位置と振動検出部１２１Ｆの振動検出位置との間の振動伝播速度を算出する。報知部１４１は、この信号処理部１３１が算出した振動伝播速度を示す数値を表示する。
【００３６】
本実施形態によれば、上記第１実施形態と同様な効果が得られる。また、本実施形態によれば、ドラムヘッド１２における加振位置から振動検出部１２１Ａ〜１２１Ｆの各振動検出位置までの各振動伝播速度が一度に測定されて表示される。従って、支持部１０３をフープ１３上に載置したら、それ以降、支持部１０３の位置を変えることなく、加振を行って振動伝播速度を表示させ、チューニングボルト１５の締め具合を調節する、というチューニングの作業を繰り返すことができる。
【００３７】
＜第３実施形態＞
図５はこの発明の第３実施形態であるチューニング装置１００Ｂおよび同チューニング装置１００Ｂが載置されたドラム１を上方から見た平面図である。なお、この図において、上述した第２実施形態の各部と対応する部分には共通の符号を使用し、その説明を省略する。
【００３８】
本実施形態では、上記第２実施形態における報知部１４１が報知部１４２Ａ〜１４２Ｆに置き換えられ、信号処理部１３１が信号処理部１３２に置き換えられている。ここで、報知部１４２Ａ〜１４２Ｆは、振動検出部１２１Ａ〜１２１Ｆと同数だけあり、振動検出部１２１Ａ〜１２１Ｆの近くに各々位置している。この報知部１４２Ａ〜１４２Ｆは、例えばＬＥＤにより構成されている。
【００３９】
本実施形態において、信号処理部１３２は、ドラムヘッド１２における加振部１１０の対向位置から振動検出部１２１Ａ〜１２１Ｆの各対向位置までの各振動伝播速度を算出すると、それらの振動伝播速度の差を人間が知覚し易い時間差に変換し、この時間差を持たせて報知部１４２Ａ〜１４２Ｆを発光させる。
【００４０】
例えば加振部１１０の加振位置から振動検出部１２１Ｃの振動検出位置までの振動伝播速度が最高速であった場合、信号処理部１３２は振動検出部１２１Ｃの近くの報知部１４２Ｃを最初に発光させる。
【００４１】
次に加振部１１０の加振位置から振動検出部１２１Ｄの振動検出位置までの振動伝播速度が２番目に高速であった場合、信号処理部１３２は、報知部１４２Ｃを発光させた後、振動検出部１２１Ｄの近くの報知部１４２Ｄを発光させる。その際、信号処理部１３２は、加振位置から振動検出部１２１Ｃの振動検出位置までの振動伝播速度と、加振位置から振動検出部１２１Ｄの振動検出位置までの振動伝播速度との速度差に応じた時間だけ、報知部１４２Ｄの発光タイミングを報知部１４２Ｃの発光タイミングから送らせる。この時間は、人間が発光タイミングの差を認識することができる程度の長さの時間とする。
【００４２】
以下同様であり、信号処理部１３２は、ドラムヘッド１２における加振位置から振動検出部１２１Ａ〜１２１Ｆの各振動検出位置までの各振動伝播速度に応じた順序と時間間隔で、振動検出部１２１Ａ〜１２１Ｆに対応付けられた報知部１４２Ａ〜１４２Ｆを発光させる。
【００４３】
ドラム１の演奏者は、報知部１４２Ａ〜１４２Ｆの発光タイミングからドラムヘッド１２の各部のテンションのバランスを把握する。そして、最もテンションが低い領域を作り出しているチューニングボルト１５を増し締めする、あるいは最もテンションが高い領域を作り出しているチューニングボルト１５を緩める、といった方法でチューニングを行う。具体的には、加振部１１０に加振を行わせた場合において、報知部１４２Ａが最も遅れて発光した場合、ラグ１４Ａに締結されたチューニングボルト１５が最もテンションの低い領域を作り出していると考えられるので、このチューニングボルト１５を増し締めする。また、報知部１４２Ｃが最も早く発光した場合、ラグ１４Ｃに締結されたチューニングボルト１５が最もテンションの高い領域を作り出していると考えられるので、このチューニングボルト１５を緩めるのである。このような作業を繰り返すことにより均一なチューニングを実現することができる。
【００４４】
＜第４実施形態＞
図６はこの発明の第４実施形態であるチューニング装置１００Ｃおよび同チューニング装置１００Ｃが載置されたドラム１を上方から見た平面図である。なお、この図において、上述した第３実施形態の各部と対応する部分には共通の符号を使用し、その説明を省略する。
【００４５】
本実施形態では、上記第３実施形態における加振部１１０がなく、その代わりに、加振案内部１５０が支持部１０３の円盤状領域１０４の中央に設けられている。この加振案内部１５０は、矩形状の開口孔１５５を有する。この開口孔１５５は、演奏者がドラムヘッドをスティック等により加振する際の案内孔として機能する。
【００４６】
円盤状領域１０４において、開口孔１５５に臨む上辺には、Ｘ軸方向に配列された複数の発光素子からなる発光部１５１が設けられ、下辺には発光部１５１の各発光素子の出力光を受光する複数の受光素子からなる受光部１５２が設けられている。また、円盤状領域１０４において、開口孔１５５に臨む左辺には、Ｙ軸方向に配列された複数の発光素子からなる発光部１５３が設けられ、右辺には発光部１５３の各発光素子の出力光を受光する複数の受光素子からなる受光部１５４が設けられている。
【００４７】
信号処理部１３３は、開口孔１５５から露出したドラムヘッド１２の表面がスティック等により加振された場合、受光部１５２および１５４の各受光素子の出力信号に基づいて、その加振タイミングを検出する。具体的には、信号処理部１３３は、受光部１５２の各受光素子の出力信号のうちの少なくとも１つが遮光状態を示すアクティブレベルとなり、かつ、受光部１５４の各受光素子の出力信号のうちの少なくとも１つが遮光状態を示すアクティブレベルとなったタイミングを加振タイミングとする。また、信号処理部１３３は、受光部１５２の各受光素子の出力信号のうちアクティブレベルとなった出力信号に基づいて、加振位置のＸ座標を求め、受光部１５２の各受光素子の出力信のうちアクティブレベルとなった出力信号に基づいて、加振位置のＹ座標を求める。
【００４８】
信号処理部１３３は、このようにして加振タイミングと加振位置を求めると、加振位置に基づいて、当該加振位置から振動検出部１２１Ａ〜１２１Ｆの振動検出位置までの各距離を求める。そして、信号処理部１３３は、加振位置から振動検出部１２１Ａ〜１２１Ｆの振動検出位置までの各距離と、加振タイミングと振動検出部１２１Ａ〜１２１Ｆでの振動検出タイミングとの時間差に基づいて、加振位置から振動検出部１２１Ａ〜１２１Ｆの振動検出位置までの振動伝播速度を算出する。以降の動作は上記第３実施形態と同様である。
【００４９】
本実施形態によれば、上記第３実施形態と同様な効果が得られる。また、本実施形態では、演奏者がスティックでドラムヘッド１２を叩いでチューニングを行うので、チューニング作業において演奏者のチューニング技術を活用することができるという利点がある。
【００５０】
＜第５実施形態＞
図７はこの発明の第４実施形態であるチューニング装置１００Ｄの構成を示す断面図である。この図７では、ラグ１４Ｆおよび１４Ｃの中心を含む鉛直平面によりチューニング装置１００Ｄおよびドラム１を切断した断面形状が示されている。なお、図７において、ドラム１の各部については、上記各実施形態において使用した符号を同じ符号を使用し、その説明を省略する。
【００５１】
チューニング装置１００Ｄは、支持部１０７を有する。この支持部１０７は、旋回部１０８と、装着部１０９とにより構成されている。
【００５２】
装着部１０９は、水平板部と、この水平板部の端部から下方に延びた垂直板部とを有する。装着部１０９の水平板部の下面には、フープ１３の上端部をフープ１３の直径方向両側から挟む１対のガイド部１０９ａおよび１０９ｂが設けられている。また、装着部１０９の垂直板部の下端には、フープ１３に挿入されたチューニングボルト１５を引っ掛けるフック１０９ｃが設けられている。この装着部１０９は、ガイド１０９ａおよび１０９ｂ間にフープ１３の上端部を挟み、フック１０９ｃをチューニングボルト１５に引っ掛けることによりフープ１３の上端部に固定される。
【００５３】
旋回部１０８は、棒状の部材であり、一端に加振部１１１が設けられ、他端が軸１０８ａにより装着部１０９に連結されている。旋回部１０８は、軸１０８ａ廻りに旋回可能である。旋回部１０８を手で持ってドラムヘッド１２に対して垂直な状態とし、手を離すと、旋回部１０８は、加振部１１１の重量により旋回し、ドラムヘッド１２に対して水平な状態となる。本実施形態において、旋回部１０８は弾性を有する部材により構成されている。このため、旋回部１０８は、旋回してドラムヘッド１２に対して水平な状態になったときに曲がり、先端の加振部１１１がドラムヘッド１２を打撃して加振することとなる。
【００５４】
図７に示すように、旋回部１０８はドラムヘッド１２の半径程度の長さを有しており、軸１０８ａはドラムヘッド１２のヘッド部１２ａの円周上に位置している。従って、加振部１１１による加振位置は、ドラムヘッド１２の中心となる。
【００５５】
加振部１１１にはドラムヘッド１２との接触を検出する接触センサが内蔵されている。また、旋回部１０８のドラムヘッド１２との対向領域において、加振部１１１から所定距離だけ離れた位置に振動検出部１２２が設けられている。この振動検出部１２２は、上記第１実施形態と同様、ドラムヘッド１２において、振動検出部１２２と対向する振動検出位置に発生する振動を検出するセンサである。
【００５６】
さらに旋回部１０８には、図示しない信号処理部と報知部が設けられている。ここで、信号処理部は、振動伝播速度算出部としての機能を有する。さらに詳述すると、信号処理部は、加振タイミング、すなわち、加振部１１１の接触センサがドラムヘッド１２との接触を検出したタイミングと、振動検出部１２２の振動検出タイミングとの時間差を算出する。そして、信号処理部は、この時間差と、加振部１１１および振動検出部１２２間の距離とに基づいて、ドラムヘッド１２における加振位置から振動検出位置までの振動伝播速度を算出し、報知部に表示する。
【００５７】
本実施形態においても上記第１実施形態と同様な効果が得られる。
【００５８】
＜他の実施形態＞
以上、この発明の各種の実施形態について説明したが、この発明には他にも実施形態が考えられる。例えば次の通りである。
【００５９】
（１）上記第２〜第４実施形態では、６個の振動検出部１２１Ａ〜１２１Ｆを設けたが、振動検出部は、ラグの個数に合わせて設ければよい。
【００６０】
（２）上記各実施形態では、振動伝播速度に関する情報を表示することにより、ドラムヘッドのテンションに関する情報を報知したが、テンションに関する情報の報知手段はこれに限定されるものではない。例えばテンションに関する情報をブザー等の放音手段により報知するようにしてもよい。具体的には、振動伝播速度が遅ければブザー音のピッチを低くし、振動伝播速度が速ければブザー音のピッチを高くする、という具合にブザー音のピッチにより振動伝播速度を報知するようにしてもよい。
【００６１】
（３）上記第２〜第４実施形態では、ラグ１４Ａ〜１４Ｆの数に合わせて振動検出部１２１Ａ〜１２１Ｆを支持部１０３に配置した。しかし、ラグ１４Ａ〜１４Ｆの各間を直線により結んだ正六角形において、対角をなす２つのラグの組の各ラグの近傍の振動検出部（例えば振動検出部１２１Ａおよび１２１Ｄ）により検出される振動伝播速度は大体同じであることが多い。そこで、互いに対角に位置していないラグに対応させて振動検出部を配置してもよい。例えば図５において、振動検出部１２１Ａ、１２１Ｃ、１２１Ｅのみを設ける、といった具合である。この場合、報知部も振動検出部に合わせ、報知部１４２Ａ、１４２Ｃ、１４２Ｅのみを設ければよい。
【符号の説明】
【００６２】
１……ドラム、１１……ドラムシェル、１２……ドラムヘッド、１２ａ……ヘッド部、１２ｂ……支持部、１３……フープ、１４Ａ〜１４Ｆ……ラグ、１５……チューニングボルト、１００，１００Ａ〜１００Ｄ……チューニング装置、１０１，１０３，１０７……支持部、１０２，１０６……切り欠き部、１０５……突出部、１０４……円盤状部、１１０，１１１……加振部、１２０，１２１Ａ〜１２１Ｆ，１２２……振動検出部、１４１，１４２Ａ〜１４２Ｆ……報知部、１５０……加振案内部、１５５……開口孔、１５１，１５３……発光部、１５２，１５４……受光部、１３０，１３１，１３２，１３３……信号処理部、１０８……旋回部、１０９……装着部、１０９ａ，１０９ｂ……ガイド部、１０９ｃ……フック。
【図１】
2018146889.tif 000003
【図２】
2018146889.tif 000004
【図３】
2018146889.tif 000005
【図４】
2018146889.tif 000006
【図５】
2018146889.tif 000007
【図６】
2018146889.tif 000008
【図７】
2018146889.tif 000009